(57)【特許請求の範囲】
【請求項１】
つる性植物の苗を育成する苗ポットと、この苗ポットに立設した支柱と、苗の生育によって伸びた枝葉を展開する平面状の展開パネルと、前記展開パネルに備えた、抜き差し可能な嵌合接続部と、前記展開パネルの下部に備えた幼苗用ポットとよりなり、前記嵌合接続部を前記支柱によって苗ポットに起立固定して、前記幼苗用ポットを苗ポットの上方に配置した栽培容器を用いたつる性植物の植栽方法であり、
まず幼苗用ポットによって幼苗を育て、その後前記幼苗を苗ポットに移して栽培し、伸びてきた苗を展開パネルに誘引し張り付けて、目的の長さに成長するまで展開パネルに張り付けながら苗を成長させ、苗が目的の大きさに成長した後、苗ポットから苗を展開パネルとともに抜き取り、緑化対象物や植栽基盤に植栽するつる性植物の植栽方法。
【請求項２】
つる性植物の苗を育成する苗ポットと、この苗ポットに立設した支柱と、苗の生育によって伸びた枝葉を展開する平面状の展開パネルと、前記展開パネルに備えた、抜き差し可能な嵌合接続部と、前記展開パネルの下部に備えた幼苗用ポットとよりなり、前記嵌合接続部を前記支柱によって苗ポットに起立固定して、前記幼苗用ポットを苗ポットの上方に配置したことを特徴とするつる性植物の栽培容器。
【発明の詳細な説明】
【０００１】
【発明の属する技術分野】
本発明は、つる状植物及びツタ植物等のつる性植物の苗を育成する苗ポットからなるつる性植物の栽培容器に関し、特に、繁茂したつるやツタの煩わしい取り扱いを要することなく移植でき、また、緑化場所の条件よることなく定着育成することが可能なつる性植物の栽培容器に関する。
【０００２】
【従来の技術】
従来のやり方としては、苗床でさし木、又は種をまき、本葉が出てきたらポットに移植し、その苗がある程度成長するとひと回り大きなポット又は花鉢に移植して成長させて出荷する方法が一般的であった。
ツタ、つる状植物の苗を育てる場合は、さらに、伸びた枝葉の取り扱いが必要となる。
ツタ植物の作物の場合は、先ず、ポットに苗を植え、苗の近くに木、ヘゴ、発泡スチロール、エンビ、パイプ等のポールを立て、その植えたツタがポールに張り付けるようにする。ツタ植物は、そのポールに張り付きながら成長する。又、つる状植物は、支柱（木、鉄、竹製の格子状）となる物をポットに立てて、そのものに絡みつきながら成長する。
以上のように成長した苗や成木を利用して、壁面、法面、建物の壁等を緑化しようとする場合は、次のような方法が取られるのが通常である。
つる状植物、ツタ植物等のつる性植物は、通常、建築物、コンクリート、壁面等を緑化する場合に適用される。例えば、道路関係の緑化には、法面やコンクリートのような壁、高架橋脚、モルタルの法面等の構造物がある。
従来の方法で作られた苗は、つる状植物の場合は苗が支柱に絡みついており又苗と苗が搦みついたりしている枝を切り取る必要がある。
又、構造物は複雑な形をして平面でない場合が多い。その為、曲がらない支柱に付いたままでは植栽できないことがある。その為、枝葉の絡まりを解いて１本のヒモ状にしたり、又苗の上部だけ残して、下の方の枝は切り取って植栽する。
植栽する場合は、ヒモ状になったつる状植物を緑化対象物の上部からヒモ等で誘引する。又、ツタ植物は支柱にピッタリ張り付いて取れなくなるので幼苗のうちに法面やコンクリート、壁面の植栽基盤に植栽する。
【０００３】
【発明が解決しようとする課題】
しかしながら、ヒモやロープ等で誘引された上記の場合、つる状植物は風で煽られて植物の途中から切れたり、葉が擦れたりして枯れる場合がある。ツタ植物においては幼苗を植栽するが、擁壁や構造物の基部周辺はコンクリートが張られたり、又溝等の構造物があり、緑化対象物まで離れている場合がある上に、ツタが幼苗で目立たないので、人に踏まれたり除草作業の際、苗が小さ過ぎて刈り取られたり、草に覆われて枯れてしまう場合がある。
道路構造に関する法面、壁面は、普通の植栽地盤と異なり、構造物の基部周辺がコンクリートで覆われて、植栽基盤となる土が緑化対象の壁面から離れている場合が多い。又、植栽基盤があっても日当たりが悪い場合もある。さらに、法面、モルタル壁面の多くは、植栽基盤となる土壌がない。あったとしても狭く劣悪である。そのような場所は良質の土を容土して、植栽基盤を作るために多くの手数を要する。
【０００４】
本発明の目的は、繁茂したつるやツタの煩わしい取り扱いを要することなく移植でき、また、緑化場所の条件よることなく定着育成することが可能なつる性植物の栽培容器を提供することにある。
【０００５】
本発明の要旨とするところは、つる性植物の苗を育成する苗ポットと、この苗ポットに立設した支柱と、苗の生育によって伸びた枝葉を展開する平面状の展開パネルと、前記展開パネルに備えた、抜き差し可能な嵌合接続部と、前記展開パネルの下部に備えた幼苗用ポットとよりなり、前記嵌合接続部を前記支柱によって苗ポットに起立固定して、前記幼苗用ポットを苗ポットの上方に配置した栽培容器を用いたつる性植物の植栽方法であり、まず幼苗用ポットによって幼苗を育て、その後前記幼苗を苗ポットに移して栽培し、伸びてきた苗を展開パネルに誘引し張り付けて、目的の長さに成長するまで展開パネルに張り付けながら苗を成長させ、苗が目的の大きさに成長した後、苗ポットから苗を展開パネルとともに抜き取り、緑化対象物や植栽基盤に植栽するつる性植物の植栽方法である。
【０００６】
上記構成のつる性植物の植栽方法は、苗を幼苗から生育させることができ、苗の生育により伸びた枝葉が平面状の展開パネル上に展開付着するので、移植に際しては嵌合接続部から展開パネルを抜き取って展開パネルのまま緑化場所に固定することができる。したがって、絡まったつるを支柱から分離する等の煩わしい作業を要することなく、植物体を傷めることなく緑化場所に固定して安定育成することができる上に、平面状の展開パネルによってその存在をアピールすることができるので、移植した苗が雑草中に埋もれたり、うっかり除草されたり、人や車の往来で踏まれることなく、目立ちにくい苗を確実に定着育成することができる。
【０００７】
また、本発明の要旨とするところは、つる性植物の苗を育成する苗ポットと、この苗ポットに立設した支柱と、苗の生育によって伸びた枝葉を展開する平面状の展開パネルと、前記展開パネルに備えた、抜き差し可能な嵌合接続部と、前記展開パネルの下部に備えた幼苗用ポットとよりなり、前記嵌合接続部を前記支柱によって苗ポットに起立固定して、前記幼苗用ポットを苗ポットの上方に配置したことを特徴とするつる性植物の栽培容器である。
前記展開パネルに幼苗用ポットを取り付けることにより、幼苗から長期にわたって育成することができるので、大きく生育した緑化株を要する場合にも適用することができる。
【０００８】
【発明の実施の形態】
図１は本発明の第１の実施形態を示す栽培容器の背面図である。
栽培容器１は、苗を植えるための苗ポット２と、この苗ポット２から起立する少なくとも１本の支柱３、３（図は２本の例）と、この支柱３、３について抜き差し可能なパイプ４、４を縦材とする展開パネル５とから構成する。
【０００９】
上記支柱３は、苗ポット２と一体に、または、苗ポット２に収容した栽培土に固定する。パイプ４は、その下部を嵌合接続部として支柱３に対して着脱可能に展開パネル５を保持する。また、展開パネル５は、伸びたつる状植物の苗の枝葉が絡み付くように、金網等の網状のネット部材によって形成する。
【００１０】
図２は本発明の第２の実施形態を示す栽培容器の正面図（ａ）とそのＡ−Ａ線断面図（ｂ）である。以下において、前記同様の部材はその符号を付して表示することにより説明を省略する。
栽培容器６は、支柱３とパイプ４を支持重量に対応した本数（図の場合は３本）設け、展開パネル７をツタ植物の定着に適する繊維状等の粗表面を形成したシート材によって構成する。
【００１１】
これらの栽培容器１、６の使用法は次のとおりである。
ツタ植物、つる状植物の苗をポット２に植える。苗が伸びて展開パネル５、７のネットやシートに張り付ける状態になったら同展開パネル５、７に誘引し、ビニールテープ、ヒモ等で張り付ける。目的の長さに苗が成長するまで展開パネル５、７に張り付けながら苗を成長させる。
【００１２】
苗の大きさが目的の大きさに成長したら苗ポット２から苗を展開パネル５、７とともに抜き取り、緑化対象物、植栽基盤に植栽する。展開パネル５、７は、枝葉の繁茂に関わりなく、パイプを抜くことにより容易に分離できる。又、育苗場から緑化対象物までの移動の間は、展開パネル５から苗が離れないように、テープ又はヒモで固定しておく。
苗が張り付いた展開パネル５、７が風によって影響を受けないように緑化対象物に、クギ、接着テープ等で張り付けることにより、植物体を傷めることなく、確実に定着することができる。
【００１３】
図３は柔軟部材によって展開パネルを構成した例を示す斜視図である。
展開パネル１１は、容易に撓んで変形が可能な繊維や細い金属線を編んだ可撓性のネット部材１２と、このネット部材１２を起立支持するための少なくとも１本のパイプ材による柱部材１３、１３と、ネット部材１２の上端を着脱可能に拘束する上部材１４と、ネット部材１２の下部両端に設けた挿通部１５、１５を介して同下端を着脱可能に直線状に保持する下部材１６とから構成する。挿通部１５、１５は、取り付け金具又はネットやシート等を曲げて下部材１６を支持できるようにしたものである。
【００１４】
上記展開パネル１１は通常使用されるものと異なり、植物が張り付いた状態で自由に曲げることができるので緑化対象物の形に合わせて張り付けて緑化することができる。
また、上部材１４と下部材１６にロープ１４ａ、アンカー１６ａを結着することにより、伸びたつるを所要の場所に誘引するべく自由に配置することができる。
【００１５】
従来の方法では、緑化対象物に誘引する場合や、つる状植物を畑で支柱を立て、成木にしてから緑化用として利用する場合に、成長した枝が支柱に搦み付いたり張り付いているので、枝を支柱から外すことができないときは枝を切り取ってから移植していた。しかし、本実施態様の展開パネル１１を支柱から抜くことにより、枝を切らずに枝が展開パネル１１に搦み付いたままや、又、ツタが張り付いたまま移植することができる。
【００１６】
誘引する場合の具体的な方法を説明する。
上部材１４をロープ１４ａで吊り、植物の張り付いた展開パネル１１の下部の挿通部１５、１５に下部材１６を装着してネット部材１２が捲かれたり捩れたりしないようにする。
【００１７】
この下部材１６をアンカー１６ａで固定するようにして誘引すると、植物を直接ヒモ等で引っ張る方法と違い、風に擦れて植物が切れることがない。
その他、育てた緑化植物を運送する場合は、上部材１４と下部材１６を外し、柱部材１３、１３を中心にして巻き取るようにして丸めると一度に大量に運ぶことができる。
【００１８】
図４は壁掛け状に構成した例を示す斜視図である。
挿通部１５、１５に花鉢１７を吊り下げた状態でネット部材１２に植物を張り付け壁面等にヒモ等で吊り下げることができる。したがって、緑化のみならず、壁掛けとして楽しむことができる。
【００１９】
図５は幼苗用ポットを付帯した栽培容器の例を示す正面図、図６はその側面図である。
栽培容器２１は、支柱３、３に対して嵌合接続可能に設けたネット部材やシート部材からなる展開パネル２２の下部に幼苗用ポット２３をさらに備えて構成する。
【００２０】
上記幼苗用ポット２３により、まず幼苗を育て、その後、下部の苗ポット２により長期の栽培を可能とする。この長期栽培により、株が十分に生育し成長株となった時点で、繁茂したつる状の枝葉に煩わされることなく展開パネル２２を支柱３、３から外すことができ、緑化場所に展開パネル２２のまま簡易に移植することができる。
上記成長株は、次に説明する例のように、移植場所と緑化部分とが離れている場合や、移植場所の日照条件が確保できない場合に必要となる。
【００２１】
図７は道路の法面を緑化する例を示す平面図、図８はそのＢ−Ｂ線断面図である。
道路脇のコンクリート製の法面３１を緑化する場合は、舗装された歩道３３や側道部に植栽基盤３４を形成し、この植栽基盤３４から側溝３２を超えて上記成長株を展開パネル２２のまま移植する。
その他、緑化対象物の植栽基盤が日当たりの悪い所にある場合を含め緑化対象物が離れている場合は、植栽基盤から緑化対象物又は日の当る壁面までの間の距離に対応する長さに苗が成長するまで育ててから、植栽基盤に植栽する。
【００２２】
上記展開パネル２２は黒色にすると雑草の発生を抑えることができ、又シートに草刈注意と書くことにより、作業員に知らせることができ、苗が刈り取られることがない。
従来の方法では、ツタの苗が小さ過ぎて目立たないので、人に踏まれたり、除草作業の際刈り取られたり、草に覆われて枯れてしまう場合があるが、新たに植栽基盤を作るまでもなく、成長株と展開パネル２２とによってその存在が確実にアピールされることから、株の定着までの間の管理が容易となる。
【００２３】
図９乃至図１１は、本発明の第３の実施形態を示す栽培容器を表している。
栽培容器４１は、苗を植えるための苗ポット２と、この苗ポット２から起立する少なくとも1本の支柱４３（図は１本の例）と、この支柱４３について抜き差し可能なパイプ状のシート材４７およびこのシート部材４７の端部に固定したネット部材４５からなる展開パネル４２とから構成する。
【００２４】
上記支柱４３は、苗ポット２と一体に、または、苗ポット２に収容した栽培土に固定する。展開パネル４２は、ツタ植物の定着に適する繊維状等の粗表面を形成したシート部材４７と、つる状植物の伸びた苗の枝葉が絡み付くように金網等の網状のネット部材４５によって形成する。
そのため、ツタ植物を育成する場合は、ツタがシート部材４７の表面を巻くように伸びてくるが、ネット部材４５に遮られてツタはネット部材４５を越えることができない。そのためツタはシート部材４７の周囲を巻装しながら成長していくことはなくシート部材４７の表面を上方に這っていくことになる。
このため図１１に示すように、ツタ植物の生育状態に関係なく常に、展開パネル４２を展開して、壁などに貼着することができる。
【００２５】
ネット部材４５の部分は、つる植物の育成に適している。そのためこの実施態様のものは、ツル植物と、つた状植物の両方に適応できる。
また、シート部材４７は、公知の方法で留めて筒状に構成する。
【００２６】
本発明によれば以下の効果を奏する。すなわち苗の生育により伸びた枝葉が平面状の展開パネル上に展開付着するので、移植に際しては嵌合接続部から展開パネルを抜き取って展開パネルのまま緑化場所に固定することができる。
【００２７】
したがって、絡まったつるを支柱から分離する等の煩わしい作業を要することなく、植物体を傷めることなく緑化場所に固定して安定育成することができる上に、平面状の展開パネルによってその存在をアピールすることができるので、移植した苗が雑草中に埋もれたり、うっかり除草されたり、人や車の往来で踏まれることなく、目立ちにくい苗を確実に定着育成することができる。
また、前記展開パネルに幼苗ポットを取り付けることにより、幼苗から長期にわたって育成することができるので、大きく生育した緑化株を要する場合にも適用することができる。
【図面の簡単な説明】
【図１】本発明の第１の実施形態を示す栽培容器の背面図
【図２】本発明の第２の実施形態を示す栽培容器の正面図とそのＡ−Ａ線断面図
【図３】柔軟部材によって展開パネルを構成した例を示す斜視図
【図４】壁掛け状に構成した例を示す斜視図
【図５】幼苗用ポットを付帯した栽培容器の例を示す正面図
【図６】図５の栽培容器の側面図
【図７】道路の法面を緑化する例を示す平面図
【図８】図７のＢ−Ｂ線断面図
【図９】本発明の第３の実施形態を示す栽培容器の正面図
【図１０】図９のＣ−Ｃ線断面図
【図１１】第３の実施形態の展開パネルを展開した正面図
【符号の説明】
１、６、２１、４１    栽培容器
２    苗ポット
３    支柱
４    パイプ（嵌合接続部）
５、７、１１、２２、４２    展開パネル
１２、４５    ネット部材
１３    柱部材（嵌合接続部）
１４    上部材
１５    挿通部
１６    下部材
１４ａ  ロープ
１６ａ  アンカー
１７    花鉢
２３    幼苗用ポット
３１    法面
３４    植栽基盤
４７    シート部材
【図１】
0004913949.tif 000002
【図２】
0004913949.tif 000003
【図３】
0004913949.tif 000004
【図４】
0004913949.tif 000005
【図５】
0004913949.tif 000006
【図６】
0004913949.tif 000007
【図７】
0004913949.tif 000008
【図８】
0004913949.tif 000009
【図９】
0004913949.tif 000010
【図１０】
0004913949.tif 000011
【図１１】
0004913949.tif 000012